(57)【要約】【課題】従来の羽織は、形状の変化もないので１通りの着方のみで、形状的にも着物以外の洋服の上などに羽織ることには適さない。本発明では、多様な着こなしができる新たな羽織を提供することを課題とする。【解決手段】本発明の羽織は、そのたもと部分において前袖と後袖との袖下のつなぎ目を袖口から袖付（袖と身頃の付け部分）まで開放し、袖の前後を分離したことを特徴とし、さらに袖付から肩付近までをも開放し、前袖と身頃をも分離している。【選択図】図１
2017197860.tif 000002
【特許請求の範囲】
【請求項１】
羽織のたもと部分において、前袖と後袖との袖下のつなぎ目を袖口から袖付（袖と身頃の付け部分）まで開放し、袖の前後を分離したことを特徴とする羽織。
【請求項２】
前記前袖は袖口から袖付までの袖下のつなぎ目に加え、袖付から肩付近までをも開放することで前袖と身頃を分離し、前記後袖は身頃に接続してなる請求項1に記載の羽織。
【請求項３】
前記袖丈は、両腕を広げた状態で腰に届く長さである請求項1■２の何れかに記載の羽織。
【請求項４】
前記前袖と後袖や身頃の縁部には、両者を連結する留め具が設けられている請求項１■３の何れかに記載の羽織。
【請求項５】
前記袖口と肩に両者を連結する留め具が設けられている請求項１■４の何れかに記載の羽織。
【発明の詳細な説明】
【技術分野】
【０００１】
本発明は、日常生活における着こなしの多様性を図った羽織に関するものである。
【背景技術】
【０００２】
従来の羽織には、袖を外し身頃だけにして、着用上便利な様に対策を施したものがある（例えば、特許文献１）。
【０００３】
また、羽織を活用する方法として、羽織を形成する生地を再利用して洋服を作成する方法がある（例えば、特許文献２）。
【先行技術文献】
【特許文献】
【０００４】
【特許文献１】特開２００６−７０３９５号公報
【特許文献２】特許第３９０６３８７号
【発明の概要】
【発明が解決しようとする課題】
【０００５】
以上に述べた様に従来の羽織では、羽織の袖を外し身頃だけの簡易な形態にすることで着用上の利便性を図ったり、羽織を活用する方法として羽織を形成する生地を再利用する発明が見受けられるが、どれも羽織の形態を維持しているものではない。
【０００６】
従来の羽織は、あくまで長着（着物）の上に羽織るものであり、形状の変化もないので着こなし方は１通りのみである。よって、着こなしの多様性に乏しく、また長着（着物）以外の洋服の上に羽織ることなどには、形状的にも適さない。
【０００７】
本発明は、多様な着こなしができる新たな羽織を提供することを課題とする。
【課題を解決するための手段】
【０００８】
本発明の羽織は、そのたもと部分において前袖と後袖との袖下のつなぎ目を袖口から袖付（袖と身頃の付け部分）まで開放し、袖の前後を分離したことを特徴とする。
【０００９】
さらに、前記前袖は袖口から袖付までの袖下のつなぎ目に加え、袖付から肩付近までをも開放し、前袖と身頃を分離している。
【００１０】
上記のように袖部分において、前袖が後袖や身頃から分離した羽織となる。これにより、前袖を左右反対の肩へ可動させることで、衿巻きの様に用いる着こなしが可能となる。
【００１１】
袖丈は、左右反対の肩へ回すのに充分な長さを要するため、両腕を広げた状態で腰の高さに達する長さがある。
【００１２】
また、前記前袖と後袖や身頃の縁部には、両者を連結する留め具が設けられている。これにより、通常の羽織としても着こなすことが出来る。
【００１３】
前記袖口と肩とにも、両者を連結する留め具が設けられていることを特徴とする。
【発明の効果】
【００１４】
本発明の羽織は、前袖が後袖や身頃から分離されているため、自由に可動することができるので、前袖を左右反対側の肩に回し掛けて袖をショールやマフラーのごとく機能させることや、袖を肩に捲り上げた袖なしの羽織のような着方など、多様な着こなしを楽しむことができるという利点がある。
【００１５】
また、袖自体が変形することで、和服特有の形状からも解放されるので、洋服の上に羽織る衣類としても活用することが可能になり、着用の場面が広がった。
【図面の簡単な説明】
【００１６】
【図１】羽織の構造を示した展開図
【図２】前袖を肩に掛けた状態を示す図
【図３】実施例１の羽織の着こなし方を示した説明図
【図４】実施例２の羽織の着こなし方を示した説明図
【図５】実施例３の羽織の着こなし方を示した説明図
【図６】実施例４の羽織の着こなし方を示した説明図
【発明を実施するための形態】
【００１７】
以下、本発明の実施の形態を図１■図６に基づいて説明する。
【００１８】
図１は、本発明の羽織の構造を表したもので、図で示した通り、衿や身頃部分は通常の羽織と同じ構造である。
【００１９】
本発明の羽織の特異性は袖部分にあり、前袖が後袖や身頃から分離されていることが特徴である。
【００２０】
図１のＡは袖口を表している。通常の羽織の袖は、この部分のみが手を出せる様に開放されている。またＣは、通常の羽織での袖付に該当し、この部分で袖と身頃が接続している。
【００２１】
本発明の羽織では、ＡからＢとＢからＣの袖口から袖付に至る袖下のたもと部分を開放し、前袖と後袖を分離している。
【００２２】
図１でFは袖の前面である前袖を、Gは袖の背面である後袖を表している。そして、Ｄは前身頃側の前袖Fと身頃Eが接続している端の位置を表しており、袖は肩付近にあるＤより背中側で身頃Eと縫い付けられている。つまり、概ね後袖G部分のみが身頃Eに接続している状態となる。
【００２３】
通常の羽織では接続している袖付Ｃから肩付近の袖と身頃の縫い止まりＤの部分までを開放することで、前袖Fが身頃Eからも分離された形態になるので自由に可動することが出来る。
【００２４】
なお、図１及び図２は、それぞれ片袖のみを可動した状態を図示しているが、袖の構造は左右同じなので、両袖とも自由に可動することが出来る。前袖Fを左右反対側の肩に回し掛けて袖をショールやマフラーのごとく機能させることや、袖を肩に捲り上げた袖なしの羽織のような着方など、着こなしの多様性が生まれてくる。
【００２５】
さらに、用いる素材を変えることで、袖の形態が変化する特性を活かした着こなしも提案出来る。従来、和服で用いられてきた絹や綿以外にも、袖がショールやマフラーのごとく機能するので、冬であればウールや毛並みのあるファー素材でより暖かい着こなしが、夏であれば麻やオーガンジーの様な透け感のある素材で見た目にも涼しげな着こなしが楽しめるのである。
【００２６】
前袖Fと後袖Gや身頃Eの縁部には、両者を連結する留め具Hが設けられている。これにより、通常の羽織としての形態を損なわずに着こなすことも可能である。
【００２７】
袖口Ａと肩にも、両者を連結する肩に止める留め具Iが設けられており、袖を肩に捲り上げた着方をする際には、袖を固定出来る。
【００２８】
前記の留め具H及び肩に止める留め具Iとしては、ボタンと縢り穴、ホック、ファスナー、マグネット、面ファスナーなどを、適宜に使用する。図１では、留め具H及び肩に止める留め具Iの付け位置の例として黒塗りの丸印で表記している。
【００２９】
図２は前袖Fを肩に掛けた状態を示すものである。前記の留め具Hは、図において見えているものを黒塗りの丸印で、隠れているものを破線の丸印で表記している。
【００３０】
図２で両脇に破線で表記されているのは、身頃に内蔵されたポケットJである。たもとの開放で失われた収納力を、ポケットJを自由になった両脇に作ることで移動させた。
【実施例１】
【００３１】
図３は、本発明の羽織の着こなし方を示した図である。通常の羽織の形態で着用し、留め具Hで留めていない状態を表している。
【実施例２】
【００３２】
図４は、本発明の羽織の着こなし方を示した図である。左の前袖Fを右肩に掛けている状態を表している。留め具Ｈと肩に止める留め具Iを使用して前袖Fを固定することも出来る。
【実施例３】
【００３３】
図５は、本発明の羽織の着こなし方を示した図である。右の前袖Fを左肩に、左の前袖Fを右肩に掛けている状態を表している。留め具Ｈと肩に止める留め具Iを使用してそれぞれの前袖Fを固定することも出来る。
【実施例４】
【００３４】
図６は、本発明の羽織の着こなし方を示した図である。両袖を肩に捲り上げて、肩に止める留め具Iで固定した状態を表している。
【００３５】
前記４つの実施例の他にも、袖に捻りを加える、袖を後ろから回す、左右の組み合わせなど動作により、多様な着こなしが生まれることは言うまでもない。
【符号の説明】
【００３６】
Ａ    袖口
Ｂ    袖下のたもとの先
Ｃ    袖付
Ｄ    袖と身頃の縫い止まり
Ｅ    身頃
Ｆ    前袖
Ｇ    後袖
Ｈ    留め具
I     肩に止める留め具
J     ポケット
【図１】
2017197860.tif 000003
【図２】
2017197860.tif 000004
【図３】
2017197860.tif 000005
【図４】
2017197860.tif 000006
【図５】
2017197860.tif 000007
【図６】
2017197860.tif 000008
【手続補正書】
【提出日】平成28年9月12日(2016.9.12)
【手続補正１】
【補正対象書類名】特許請求の範囲
【補正対象項目名】全文
【補正方法】変更
【補正の内容】
【特許請求の範囲】
【請求項１】
羽織のたもと部分において、前袖と後袖との袖下のつなぎ目を袖口から袖付（袖と身頃の付け部分）まで開放し、袖の前後を分離したことを特徴とする羽織。
【請求項２】
前記前袖は袖口から袖付までの袖下のつなぎ目に加え、袖付から肩付近までをも開放することで前袖と身頃を分離し、前記後袖は身頃に接続してなる請求項1に記載の羽織。
【請求項３】
前記袖丈は、両腕を広げた状態で腰に届く長さである請求項１〜２の何れかに記載の羽織。
【請求項４】
前記前袖と後袖や身頃の縁部には、両者を連結する留め具が設けられている請求項１〜３の何れかに記載の羽織。
【請求項５】
前記袖口と肩に両者を連結する留め具が設けられている請求項１〜４の何れかに記載の羽織。
【手続補正２】
【補正対象書類名】明細書
【補正対象項目名】００１７
【補正方法】変更
【補正の内容】
【００１７】
以下、本発明の実施の形態を図１〜図６に基づいて説明する。